(57)【要約】【課題】ディスク装置におけるグリースなどの潤滑剤の飛散を抑えると共に、ディスク装置の耐久性を向上させる。【解決手段】案内部材６０，７０上を移動しつつメディアのデータを読取り可能なピックアップ装置１０が装備されたディスク装置１に関する。案内部材７０とピックアップ装置１０との摺動性を向上させる潤滑剤が保持可能な潤滑剤保持部５０を備える。これにより、ディスク装置１のピックアップ装置１０は、長期に亘って案内部材６０，７０上を滑らかに移動する。潤滑剤は、潤滑剤保持部５０に適度に保たれつつ、徐々に案内部材７０とピックアップ装置１０とに供給されるので、案内部材７０またはピックアップ装置１０における摺動部の損耗を防止できる。【選択図】図１
2007004927.tif 000002
【特許請求の範囲】
【請求項１】
案内部材上を移動しつつメディアのデータを読取り可能なピックアップ装置が装備されたディスク装置において、
前記案内部材と前記ピックアップ装置との摺動性を向上させる潤滑剤が保持可能な潤滑剤保持部を備えることを特徴とするディスク装置。
【請求項２】
前記潤滑剤保持部は、前記ピックアップ装置に設けられたことを特徴とする請求項１に記載のディスク装置。
【請求項３】
前記案内部材に対応した軸受部が、前記ピックアップ装置を構成するハウジングに設けられ、前記潤滑剤保持部は、該軸受部に設けられたことを特徴とする請求項１又は２に記載のディスク装置。
【請求項４】
前記軸受部は、前記案内部材の上部と摺接する第一ガイド片と、該案内部材の下部と摺接する第二ガイド片とを備え、前記潤滑剤保持部は、該第一ガイド片に設けられたことを特徴とする請求項３に記載のディスク装置。
【請求項５】
前記潤滑剤保持部は、前記潤滑剤が入れられる孔として、前記ピックアップ装置に形成されたことを特徴とする請求項１〜４の何れか１項に記載のディスク装置。
【請求項６】
前記潤滑剤保持部は、
前記潤滑剤が注入可能な潤滑剤注入部と、
前記案内部材に該潤滑剤を付着させる潤滑剤塗着部と
を備えることを特徴とする請求項１〜５の何れか１項に記載のディスク装置。
【請求項７】
前記案内部材に前記潤滑剤が接した状態で、該案内部材に対し、前記ピックアップ装置が移動可能に組み付けられたことを特徴とする請求項１〜６の何れか１項に記載のディスク装置。
【請求項８】
前記案内部材は、主軸と、該主軸と略平行に設置された副軸とを備え、
前記ピックアップ装置は、該主軸に対応した主軸受部と、該副軸に対応した副軸受部とを備え、
該主軸が該ピックアップ装置を移動させる送り軸とされ、
前記潤滑剤保持部は、該副軸受部に設けられたことを特徴とする請求項１〜７の何れか１項に記載のディスク装置。
【請求項９】
前記潤滑剤として、前記潤滑剤保持部と、前記案内部材とに付着可能な半固体状潤滑剤が用いられたことを特徴とする請求項１〜８の何れか１項に記載のディスク装置。
【請求項１０】
前記潤滑剤として、基油と増ちょう剤とを含むグリースが用いられたことを特徴とする請求項１〜９の何れか１項に記載のディスク装置。
【発明の詳細な説明】
【技術分野】
【０００１】
本発明は、「ＨＤ  ＤＶＤ」（High Definition DVD ）等のメディアに記録されたデータを再生させることや、メディアにデータを記録させることが可能なディスク装置に関するものである。
【背景技術】
【０００２】
図４は、従来のディスク装置の一形態を示す平面図である。
【０００３】
固定基板５０２にスピンドルモータ５０１が取り付けられている。ディスク（図示せず）が載置されるターンテーブル（図示せず）が、スピンドルモータ５０１の回転軸５０３に圧入固定される。また、光ピックアップ装置６００を構成するハウジング５０４に、対物レンズ５０５を備えるレンズホルダ５０６が装備されている。
【０００４】
光ピックアップ装置６００のハウジング５０４は、略円柱状の支持軸５０７，５０８により移動可能に支持されている。光ピックアップ装置６００のハウジング５０４に設けられた軸受部５０４ａに、支持軸５０７が移動可能に挿通され、光ピックアップ装置６００のハウジング５０４に設けられた軸受部５０４ｂに、支持軸５０８が移動可能に挿通されて、光ピックアップ装置６００のハウジング５０４は、支持軸５０７，５０８にガイドされつつ支えられる。
【０００５】
光ピックアップ装置６００のハウジング５０４は、略円柱状の支持軸５０７，５０８が延設された方向に沿って移動する。即ち、光ピックアップ装置６００のハウジング５０４は、矢印Ｌａ，Ｌｂに沿って移動する。これにより、光ピックアップ装置６００のハウジング５０４は、不図示の光ディスクの径方向に沿って移動する。
【０００６】
固定基板５０２に、光ピックアップ装置６００のハウジング５０４を移動可能とさせる送りモータ５０９が取り付けられている。また、送りモータ５０９から送り軸５１０が延設されている。この送り軸５１０は、支持軸５０７，５０８に対して略平行に設置されている。送り軸５１０には、送り溝５１０ａが設けられている。また、この送り軸５１０は、支持部材５１１に装備されている。支持部材５１１は、固定基板５０２に取り付けられている。また、光ピックアップ装置６００のハウジング５０４に、伝達部５１２が突設されている。この伝達部５１２には、送り軸５１０の送り溝５１０ａに合わせられる係り合わせ部５１２ａが設けられている。
【０００７】
送りモータ５０９が回転駆動されることにより、送り軸５１０が回転駆動される。そのときに、送り軸５１０の送り溝５１０ａに合わせられたハウジング５０４の伝達部５１２の係り合わせ部５１２ａが押動されることで、光ピックアップ装置６００のハウジング５０４は、矢印Ｌａ，Ｌｂに沿って移動する。これにより、光ディスクに対し、光ピックアップ装置６００の対物レンズ５０５を備えるハウジング５０４が移動され、光ディスクのデータ記録／再生が行われる。
【０００８】
近年、光ディスク装置６０１に、より高い摺動動作保証が求められるようになった。例えば、光ディスク装置６０１の各摺動部５０４ａ，５０４ｂ，５０７，５０８，５１０，５１０ａ，５１２，５１２ａにおいて、３００万サイクル以上の往復動作保証がドライブメーカから要求されている。光ディスク装置６０１の３００万サイクル以上の往復動作を保証するために、支持軸５０７，５０８や送り軸５１０に、グリース（図示せず）が塗布されたものもある。
【０００９】
図４に示す光ピックアップ装置６００に類似したものとして、例えば、レンズ面にグリースが付着することを防止した光ディスク装置のピックアップ送り装置というものがある（例えば、特許文献１参照。）。
【特許文献１】特開２００２−３３４４５０号公報（第３頁、第１，２図）
【発明の開示】
【発明が解決しようとする課題】
【００１０】
しかしながら、図４に示す上記従来の光ディスク装置６０１にあっては、支持軸５０７，５０８や送り軸５１０に、グリースが塗布されたことによって生じるグリースの飛散が問題となっていた。
【００１１】
例えば、支持軸５０７，５０８や、送り軸５１０に、グリースが塗布されていないものにおいては、光ピックアップ装置６００のハウジング５０４に設けられた軸受部５０４ａ，５０４ｂの材質にもよるが、光ディスク装置６０１に約３０万サイクル程度の往復摺動が行われた時点で、光ディスク装置６０１の性能に問題が生じるほど、ハウジング５０４の軸受部５０４ａに摩耗が生じることがある。光ディスク装置６０１の各摺動部５０４ａ，５０４ｂ，５０７，５０８，５１０，５１０ａ，５１２，５１２ａにグリースが塗布されていないものにおいては、光ディスク装置６０１の３００万サイクルの往復動作に耐えられないことが懸念される。
【００１２】
光ディスク装置６０１の各摺動部５０４ａ，５０４ｂ，５０７，５０８，５１０，５１０ａ，５１２，５１２ａが３００万サイクル以上の往復動作に耐えられるようにするために、光ディスク装置６０１の各摺動部５０７，５０８，５１０へのグリースの塗布は、重要なこととされる。
【００１３】
しかしながら、光ディスク装置６０１の支持軸５０７，５０８や送り軸５１０にグリースが塗布されると、今度は、グリースの飛散が問題となった。
【００１４】
光ディスク装置６０１を構成する光ピックアップ装置６００にグリースの飛散が及ぶと、次の問題が発生する。例えば、飛散したグリースにより、光ディスクに汚れが生じ、光ディスクに対し記録不良が生じることが懸念される。また、飛散したグリースにより、例えば、光ピックアップ装置６００を構成する対物レンズ５０５などの光学系部品５０５が正常に作動しないことが懸念される。このように、光ピックアップ装置６００の光学系部品５０５にまで、飛散したグリースが影響を及ぼすことが心配されていた。
【００１５】
本発明は、上記問題点を解決することにある。本発明は、上記した点に鑑み、グリースなどの潤滑剤の飛散が抑えられると共に、耐久性が向上されたディスク装置を提供することを目的とする。
【課題を解決するための手段】
【００１６】
上記目的を達成するために、本発明の請求項１に係るディスク装置は、案内部材上を移動しつつメディアのデータを読取り可能なピックアップ装置が装備されたディスク装置において、前記案内部材と前記ピックアップ装置との摺動性を向上させる潤滑剤が保持可能な潤滑剤保持部を備えることを特徴とする。
【００１７】
上記構成により、ディスク装置のピックアップ装置は、長期に亘って案内部材上を滑らかに移動することとなる。潤滑剤を保持可能な潤滑剤保持部がディスク装置に備えられているので、潤滑剤は、潤滑剤保持部に適度に保たれつつ、徐々に案内部材とピックアップ装置とに供給される。案内部材とピックアップ装置とに潤滑剤が供給されるので、案内部
材またはピックアップ装置における摺動部の損耗は防止される。従って、耐久性が向上されたディスク装置の提供が可能となる。
【００１８】
請求項２に係るディスク装置は、請求項１に記載のディスク装置において、前記潤滑剤保持部は、前記ピックアップ装置に設けられたことを特徴とする。
【００１９】
上記構成により、案内部材およびピックアップ装置への潤滑剤の付与は自動的に行われる。ピックアップ装置が案内部材上を移動しつつメディアのデータを読み取るときに、ピックアップ装置の潤滑剤保持部から案内部材に潤滑剤が自動的に供給される。ピックアップ装置と、案内部材とに、潤滑剤が自動的に供給されるので、長期に亘って良好な摺動特性が維持されるディスク装置を提供することが可能となる。
【００２０】
請求項３に係るディスク装置は、請求項１又は２に記載のディスク装置において、前記案内部材に対応した軸受部が、前記ピックアップ装置を構成するハウジングに設けられ、前記潤滑剤保持部は、該軸受部に設けられたことを特徴とする。
【００２１】
上記構成により、簡素な構造でディスク装置の摺動性を向上させることが可能となる。ピックアップ装置を構成するハウジングの軸受部に潤滑剤保持部が設けられていれば、敢えて案内部材に潤滑剤保持部を設けるということを行わずに済む。ピックアップ装置が案内部材上を移動しつつメディアのデータを読み取るときに、ピックアップ装置を構成するハウジングの軸受部に設けられた潤滑剤保持部から潤滑剤が案内部材に供給される。これにより、ピックアップ装置を構成するハウジングの軸受部と、案内部材とに、潤滑剤が付与される。
【００２２】
請求項４に係るディスク装置は、請求項３に記載のディスク装置において、前記軸受部は、前記案内部材の上部と摺接する第一ガイド片と、該案内部材の下部と摺接する第二ガイド片とを備え、前記潤滑剤保持部は、該第一ガイド片に設けられたことを特徴とする。
【００２３】
上記構成により、案内部材への潤滑剤の供給は、確実に行われる。潤滑剤が保持可能な潤滑剤保持部は、案内部材の上部と摺接するピックアップ装置の軸受部の第一ガイド片に設けられ、潤滑剤は、摺動時の流動作用により確実に案内部材に供給される。案内部材に対し、ピックアップ装置が摺動するときに、案内部材の接触面に潤滑剤が引っ張られて流動作用が生じる。また、ピックアップ装置は、案内部材の上部と摺接する軸受部の第一ガイド片と、案内部材の下部と摺接する軸受部の第二ガイド片とにより、確実に案内部材上を移動する。
【００２４】
請求項５に係るディスク装置は、請求項１〜４の何れか１項に記載のディスク装置において、前記潤滑剤保持部は、前記潤滑剤が入れられる孔として、前記ピックアップ装置に形成されたことを特徴とする。
【００２５】
上記構成により、潤滑剤は、ピックアップ装置に形成された潤滑剤保持用の孔に詰め込まれる。ピックアップ装置が案内部材上を移動するときに、潤滑剤は、ピックアップ装置に形成された潤滑剤保持用の孔から徐々に案内部材に供給される。従って、案内部材に対するピックアップ装置の摺動特性は、長期に亘って良好な状態に維持される。
【００２６】
請求項６に係るディスク装置は、請求項１〜５の何れか１項に記載のディスク装置において、前記潤滑剤保持部は、前記潤滑剤が注入可能な潤滑剤注入部と、前記案内部材に該潤滑剤を付着させる潤滑剤塗着部とを備えることを特徴とする。
【００２７】
上記構成により、潤滑剤保持部に潤滑剤を入れるための注入作業は容易に行われる。ま
た、ピックアップ装置が案内部材上を移動するときに、潤滑剤は、潤滑剤保持部の潤滑剤塗着部から徐々に案内部材に供給されて案内部材に付着する。これにより、ピックアップ装置と、案内部材との潤滑は、メンテナンスフリーな状態で行われる。従って、潤滑剤付与のメンテナンスフリー化が図られると共に、長期に亘って案内部材に対するピックアップ装置の摺動性能が維持されるディスク装置の提供が可能となる。
【００２８】
請求項７に係るディスク装置は、請求項１〜６の何れか１項に記載のディスク装置において、前記案内部材に前記潤滑剤が接した状態で、該案内部材に対し、前記ピックアップ装置が移動可能に組み付けられたことを特徴とする。
【００２９】
上記構成により、ディスク装置の始動直後から、ピックアップ装置は、円滑に案内部材上を摺動することとなる。案内部材に潤滑剤が接した状態で案内部材にピックアップ装置が組み付けられているので、ピックアップ装置が案内部材上を移動し始めることで、案内部材への潤滑剤の塗布が開始される。これにより、案内部材とピックアップ装置とに潤滑剤の供給が開始されるので、ディスク装置における摺動特性は、ディスク装置の始動直後から長期に亘って維持される。
【００３０】
請求項８に係るディスク装置は、請求項１〜７の何れか１項に記載のディスク装置において、前記案内部材は、主軸と、該主軸と略平行に設置された副軸とを備え、前記ピックアップ装置は、該主軸に対応した主軸受部と、該副軸に対応した副軸受部とを備え、該主軸が該ピックアップ装置を移動させる送り軸とされ、前記潤滑剤保持部は、該副軸受部に設けられたことを特徴とする。
【００３１】
上記構成により、ピックアップ装置に姿勢差が生じても耐久性が向上されたディスク装置の提供が可能となる。案内部材の主軸がピックアップ装置を移動させる送り軸とされていることから、ピックアップ装置が移動するときに、主軸と、副軸とに、てこの原理が生じる。ピックアップ装置が移動するときに、例えば、送り軸に力が加えられる。このとき、案内部材の主軸およびピックアップ装置の主軸受部がてこの支点となって、案内部材の副軸およびピックアップ装置の副軸受部に大きな力が加えられることが考えられる。しかしながら、ピックアップ装置の副軸受部に、潤滑剤が保持可能な潤滑剤保持部が設けられているので、ピックアップ装置の副軸受部の潤滑剤保持部から供給される潤滑剤により、案内部材の副軸もしくはピックアップ装置の副軸受部の何れか一方または両方に偏摩耗が生じるということは回避される。従って、ピックアップ装置の姿勢差による摺動に対応したディスク装置の提供が可能となる。
【００３２】
請求項９に係るディスク装置は、請求項１〜８の何れか１項に記載のディスク装置において、前記潤滑剤として、前記潤滑剤保持部と、前記案内部材とに付着可能な半固体状潤滑剤が用いられたことを特徴とする。
【００３３】
上記構成により、ディスク装置における潤滑剤の飛散は抑えられる。潤滑剤として半固体状潤滑剤が用いられているので、潤滑剤は、潤滑剤保持部と、案内部材とに、長期に亘って付着され続ける。従って、ピックアップ装置の移動により潤滑剤の飛散が発生して、飛散された潤滑剤がディスク装置のピックアップ装置に付着し、これが原因でピックアップ装置が正常に作動されないという不具合の発生は回避される。
【００３４】
請求項１０に係るディスク装置は、請求項１〜９の何れか１項に記載のディスク装置において、前記潤滑剤として、基油と増ちょう剤とを含むグリースが用いられたことを特徴とする。
【００３５】
上記構成により、ディスク装置のピックアップ装置は、長期に亘って案内部材上を滑ら
か且つ確実に移動することとなる。また、グリースは、潤滑剤保持部と、案内部材とに、長期に亘って確実に付着され続ける。グリースに基油が含まれることにより、案内部材に対するピックアップ装置の摺動性が向上する。案内部材上をピックアップ装置が移動するときに、グリースの油膜が案内部材上に形成される。また、グリースに増ちょう剤が含まれることにより、グリースが甚だしく飛散されるということは回避される。飛散されたグリースがディスクに付着したり、飛散されたグリースがピックアップ装置の光学系部品に付着したりするといった不具合の発生は回避される。従って、摺動動作保証と、グリース飛散問題とが一挙に解決されたディスク装置の提供が可能となる。
【発明の効果】
【００３６】
以上の如く、請求項１に記載の発明によれば、ディスク装置のピックアップ装置は、長期に亘って案内部材上を滑らかに移動する。潤滑剤を保持可能な潤滑剤保持部がディスク装置に備えられているので、潤滑剤は、潤滑剤保持部に適度に保たれつつ、徐々に案内部材とピックアップ装置とに供給される。案内部材とピックアップ装置とに潤滑剤が供給されるので、案内部材またはピックアップ装置における摺動部の損耗を防止することができる。従って、耐久性が向上されたディスク装置を提供することができる。
【００３７】
請求項２に記載の発明によれば、案内部材およびピックアップ装置への潤滑剤の付与を自動的に行わせることができる。ピックアップ装置が案内部材上を移動しつつメディアのデータを読み取るときに、ピックアップ装置の潤滑剤保持部から案内部材に潤滑剤が自動的に供給される。ピックアップ装置と、案内部材とに、潤滑剤が自動的に供給されるので、長期に亘って良好な摺動特性が維持されるディスク装置を提供することができる。
【００３８】
請求項３に記載の発明によれば、簡素な構造でディスク装置の摺動性を向上させることができる。ピックアップ装置を構成するハウジングの軸受部に潤滑剤保持部が設けられていれば、敢えて案内部材に潤滑剤保持部を設けるということを行わずに済む。ピックアップ装置が案内部材上を移動しつつメディアのデータを読み取るときに、ピックアップ装置を構成するハウジングの軸受部に設けられた潤滑剤保持部から潤滑剤が案内部材に供給される。これにより、ピックアップ装置を構成するハウジングの軸受部と、案内部材とに、潤滑剤を付与させることができる。
【００３９】
請求項４に記載の発明によれば、案内部材への潤滑剤の供給を確実に行うことができる。潤滑剤が保持可能な潤滑剤保持部は、案内部材の上部と摺接するピックアップ装置の軸受部の第一ガイド片に設けられ、潤滑剤は、摺動時の流動作用により確実に案内部材に供給される。また、ピックアップ装置は、案内部材の上部と摺接する軸受部の第一ガイド片と、案内部材の下部と摺接する軸受部の第二ガイド片とにより、確実に案内部材上を移動する。
【００４０】
請求項５に記載の発明によれば、潤滑剤は、ピックアップ装置に形成された潤滑剤保持用の孔に詰め込まれる。ピックアップ装置が案内部材上を移動するときに、潤滑剤は、ピックアップ装置に形成された潤滑剤保持用の孔から徐々に案内部材に供給される。従って、案内部材に対するピックアップ装置の摺動特性を、長期に亘って良好な状態に維持させることができる。
【００４１】
請求項６に記載の発明によれば、潤滑剤保持部に潤滑剤を入れるための注入作業を容易に行わせることができる。また、ピックアップ装置が案内部材上を移動するときに、潤滑剤は、潤滑剤保持部の潤滑剤塗着部から徐々に案内部材に供給されて案内部材に付着する。これにより、ピックアップ装置と、案内部材との潤滑は、メンテナンスフリーな状態で行われる。従って、潤滑剤付与のメンテナンスフリー化が図られると共に、長期に亘って案内部材に対するピックアップ装置の摺動性能が維持されるディスク装置を提供すること
ができる。
【００４２】
請求項７に記載の発明によれば、ディスク装置の始動直後から、ピックアップ装置は、円滑に案内部材上を摺動する。案内部材に潤滑剤が接した状態で案内部材にピックアップ装置が組み付けられているので、ピックアップ装置が案内部材上を移動し始めることで、案内部材への潤滑剤の塗布が開始される。これにより、案内部材とピックアップ装置とに潤滑剤の供給が開始されるので、ディスク装置における摺動特性を、ディスク装置の始動直後から長期に亘って維持させることができる。
【００４３】
請求項８に記載の発明によれば、ピックアップ装置に姿勢差が生じても耐久性が向上されたディスク装置を提供することができる。案内部材の主軸がピックアップ装置を移動させる送り軸とされていることから、ピックアップ装置が移動するときに、主軸と、副軸とに、てこの原理が生じる。ピックアップ装置が移動するときに、例えば、送り軸に力が加えられる。このとき、案内部材の主軸およびピックアップ装置の主軸受部がてこの支点となって、案内部材の副軸およびピックアップ装置の副軸受部に大きな力が加えられることが考えられる。しかしながら、ピックアップ装置の副軸受部に、潤滑剤が保持可能な潤滑剤保持部が設けられているので、ピックアップ装置の副軸受部の潤滑剤保持部から供給される潤滑剤により、案内部材の副軸もしくはピックアップ装置の副軸受部の何れか一方または両方に偏摩耗が生じるということは回避される。従って、ピックアップ装置の姿勢差による摺動に対応したディスク装置を提供することができる。
【００４４】
請求項９に記載の発明によれば、ディスク装置における潤滑剤の飛散を抑えることができる。潤滑剤として半固体状潤滑剤が用いられているので、潤滑剤は、潤滑剤保持部と、案内部材とに、長期に亘って付着され続ける。従って、ピックアップ装置の移動により潤滑剤の飛散が発生して、飛散された潤滑剤がディスク装置のピックアップ装置に付着し、これが原因でピックアップ装置が正常に作動されないという不具合の発生を回避させることができる。
【００４５】
請求項１０に記載の発明によれば、ディスク装置のピックアップ装置は、長期に亘って案内部材上を滑らか且つ確実に移動する。また、グリースは、潤滑剤保持部と、案内部材とに、長期に亘って確実に付着され続ける。グリースに基油が含まれることにより、案内部材に対するピックアップ装置の摺動性が向上する。案内部材上をピックアップ装置が移動するときに、グリースの油膜が案内部材上に形成される。また、グリースに増ちょう剤が含まれることにより、グリースが甚だしく飛散されるということは回避される。飛散されたグリースがディスクに付着したり、飛散されたグリースがピックアップ装置の光学系部品に付着したりするといった不具合の発生は回避される。従って、摺動動作保証と、グリース飛散問題とが一挙に解決されたディスク装置を提供することができる。
【発明を実施するための最良の形態】
【００４６】
以下に本発明に係るディスク装置の一実施の形態を図面に基づいて詳細に説明する。
【００４７】
図１は、本発明に係るディスク装置の一実施の形態を示す平面図、図２は、図１のＡ−Ａ断面図、図３は、ディスク装置を示す側面図である。
【００４８】
光ピックアップ装置１０を備える光ディスク装置１が用いられて、メディア（図示せず）における情報などのデータの再生または記録が行われる。光ピックアップ（optical pickup）は、「ＯＰＵ」と呼ばれている。メディアとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などの書込み／
消去や書換え可能なタイプの光ディスクなどが挙げられる（何れも図示せず）。
【００４９】
「ＣＤ」は、「Compact Disc」の略称である。また、「ＤＶＤ」は、「Digital Versatile Disc」もしくは「Digital Video Disc」の略称である。また、「ＣＤ−ＲＯＭ」もしくは「ＤＶＤ−ＲＯＭ」の「ＲＯＭ」は、「Read Only Memory」の略称である。ＣＤ−ＲＯＭもしくはＤＶＤ−ＲＯＭは、データ読出し専用のものである。また、「ＣＤ−Ｒ」または「ＤＶＤ−Ｒ」もしくは「ＤＶＤ＋Ｒ」の「Ｒ」は、「Recordable」の略称である。ＣＤ−ＲまたはＤＶＤ−ＲもしくはＤＶＤ＋Ｒは、データの書込みが可能なものである。また、「ＣＤ−ＲＷ」または「ＤＶＤ−ＲＷ」もしくは「ＤＶＤ＋ＲＷ」の「ＲＷ」は、「ReWritable」の略称である。ＣＤ−ＲＷまたはＤＶＤ−ＲＷもしくはＤＶＤ＋ＲＷは、データの書換えが可能なものである。また、「ＤＶＤ−ＲＡＭ」は、「Digital Versatile Disc Random Access Memory 」の略称である。ＤＶＤ−ＲＡＭは、データの読み書き・消去が可能なものである。
【００５０】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列の光ディスクよりも記憶容量の大きいものである。従来のＣＤには、赤色／近赤外レーザが用いられていた。また、従来のＤＶＤには、赤色レーザが用いられていた。しかしながら、「ＨＤ  ＤＶＤ」の光ディスクに記録されたデータ／情報が読み出されるときには、青紫色レーザが用いられる。また、「Blu-ray 」とは、従来の信号の読み書きに用いられていた赤色のレーザに対し、高密度記録が実現されるために採用された青紫色のレーザを意味する。
【００５１】
また、光ディスクとして、例えばディスク両面に信号面（図示せず）が設けられ、データ書込み／消去やデータ書換えが可能とされた光ディスク（図示せず）等も挙げられる。さらに、光ディスクとして、例えば二層の信号面（図示せず）が設けられ、データ書込み／消去やデータ書換えが可能とされた光ディスク（図示せず）等も挙げられる。
【００５２】
光ピックアップ装置１０を備える光ディスク装置１は、前記各種光ディスクに記録されたデータを再生させたり、前記書込み可能もしくは書換え可能な各種光ディスクにデータを記録させたりする。光ピックアップ装置１０を備える光ディスク装置１は、ＣＤ系のメディアや、ＤＶＤ系のメディア等に対応する。このように、光ピックアップ装置１０を備える光ディスク装置１は、複数のメディアに対応可能なものとされている。
【００５３】
光ピックアップ装置１０を備える光ディスク装置１について詳しく説明する。
【００５４】
合成樹脂製シャーシ（図示せず）にスピンドルモータ（図示せず）が取り付けられる。また、光ディスク（図示せず）が装備されるターンテーブル（図示せず）が、不図示のスピンドルモータの回転軸（図示せず）に圧入固定される。
【００５５】
また、図１の如く、光ピックアップ装置１０を構成する金属製ハウジング１１に、合成樹脂製対物レンズ２０を備える合成樹脂製レンズホルダ２１が装備されている。対物レンズ２０などのレンズ類は、光ピックアップ装置１０における重要な光学系部品２０とされている。光ピックアップ装置１０のハウジング１１は、略円柱状の金属製第一案内部材６０と、略円柱状の金属製第二案内部材７０とによって移動可能に支持されている。一対の案内部材６０，７０は、不図示のシャーシに取り付けられる。
【００５６】
光ピックアップ装置１０のハウジング１１に設けられた一対の金属製円筒状の滑り軸受部３１，３２に、金属製円柱状の第一案内部材６０が移動可能に挿通されている。また、光ピックアップ装置１０のハウジング１１に設けられた金属製突出片状の滑り軸受部４０に、金属製円柱状の第二案内部材７０が移動可能に装備されている。このようにして、光
ピックアップ装置１０のハウジング１１は、各案内部材６０，７０にガイドされつつ移動可能に支えられる。
【００５７】
光ピックアップ装置１０のハウジング１１は、略円柱状の案内部材６０，７０が延設された方向に沿って移動する。即ち、光ピックアップ装置１０のハウジング１１は、矢印Ｌ１（図１，図２）または矢印Ｌ２に沿って移動する。これにより、光ピックアップ装置１０のハウジング１１は、不図示の光ディスクの径方向に沿って移動する。略円柱状の案内部材６０，７０は、例えば光ピックアップ装置１０をガイドしつつ支えるガイドシャフトとして形成されている。
【００５８】
不図示のシャーシに、光ピックアップ装置１０のハウジング１１を移動可能とさせる送りモータ（図示せず）が取り付けられる。不図示の送りモータにより、第一案内部材６０が回動する。第一案内部材６０には、光ピックアップ装置１０を案内移動させる送り溝（図示せず）が設けられている。光ピックアップ装置１０のハウジング１１に、第一案内部材６０の送り溝（図示せず）に合わせられる係り合わせ部（図示せず）が設けられる。
【００５９】
不図示の送りモータが回転駆動されることにより、第一案内部材６０が回転駆動される。そのときに、第一案内部材６０の送り溝に合わせられたハウジング１１の係り合わせ部（図示せず）が押動されることで、光ピックアップ装置１０のハウジング１１は、矢印Ｌ１，Ｌ２に沿って移動する。これにより、光ディスクに対し、光ピックアップ装置１０の対物レンズ２０を備えるハウジング１１が移動され、光ディスク（図示せず）のデータ記録／再生が行われる。
【００６０】
図１〜図３の如く、この光ディスク装置１には、一対の断面略円形の棒状案内部材６０，７０に沿って各案内部材６０，７０上を往復移動しつつ光ディスク（図示せず）のデータを読取り可能とさせると共に光ディスクのデータを書込み可能とさせる光ピックアップ装置１０が装備されている。また、この光ディスク装置１は、案内部材７０と、光ピックアップ装置１０との摺動性を向上させる潤滑剤（図示せず）が保持可能とされた潤滑剤保持部５０を備えるものとされている。
【００６１】
潤滑剤保持部５０が光ディスク装置１に装備されていれば、光ディスク装置１の光ピックアップ装置１０は、長期に亘って案内部材６０，７０上を滑らかに移動する。潤滑剤を保持可能な潤滑剤保持部５０が光ディスク装置１に備えられているので、潤滑剤は、潤滑剤保持部５０に適度に保たれつつ、徐々に案内部材７０と、光ピックアップ装置１０の軸受部４０とに供給される。案内部材７０と、光ピックアップ装置１０の軸受部４０とに潤滑剤が供給されるので、案内部材７０の表面７３の損耗や、光ピックアップ装置１０の軸受部４０の損耗が防止される。従って、耐久性が向上された光ディスク装置１を、光ディスク装置１の組立メーカや、光ディスク装置１の使用者等に提供することができる。
【００６２】
潤滑剤保持部５０は、光ピックアップ装置１０に設けられている。
【００６３】
これにより、略円柱状案内部材７０および光ピックアップ装置１０の滑り軸受部４０への潤滑剤の付与は自動的に行われる。光ピックアップ装置１０が略円柱状の一対の案内部材６０，７０に沿って案内部材６０，７０上を往復移動しつつ光ディスクのデータを読み取るときや光ディスクにデータを書き込むときに、光ピックアップ装置１０の潤滑剤保持部５０から光ピックアップ装置１０の滑り軸受部４０および円柱状案内部材７０に潤滑剤が自動的に供給される。光ピックアップ装置１０の滑り軸受部４０と、略円柱状案内部材７０とに、潤滑剤が自動的に供給されるので、長期に亘って良好な摺動特性が維持されることとなる。従って、長期に亘って良好な摺動特性が維持可能な光ディスク装置１を、光ディスク装置１の組立メーカや、光ディスク装置１の使用者等に提供することができる。
【００６４】
略円柱状の案内部材６０に対応した略円筒状の滑り軸受部３１，３２が、光ピックアップ装置１０を構成するハウジング１１に設けられている。また、略円柱状の案内部材７０に対応した略突出片状の滑り軸受部４１，４２が、光ピックアップ装置１０を構成するハウジング１１に設けられている。潤滑剤保持部５０は、光ピックアップ装置１０のハウジング１１に形成された略突出片状の滑り軸受部４１に設けられている。
【００６５】
これにより、簡素な構造とされながら光ディスク装置１の摺動性を向上させることが可能となる。光ピックアップ装置１０を構成するハウジング１１の滑り軸受部４１に潤滑剤保持部５０が設けられていれば、敢えて案内部材７０に潤滑剤保持部５０を設けるということを行わずに済む。光ピックアップ装置１０が略円柱状の一対の棒状案内部材６０，７０に沿って棒状の案内部材６０，７０上を往復移動しつつ光ディスクのデータを読み取るときや光ディスクにデータを書き込むときに、光ピックアップ装置１０を構成するハウジング１１の滑り軸受部４１に設けられた潤滑剤保持部５０から潤滑剤が略円柱状の案内部材７０に供給される。これにより、光ピックアップ装置１０を構成するハウジング１１の滑り軸受部４１と、円柱状案内部材７０とに、潤滑剤が付与される。
【００６６】
なお、略円筒状の滑り軸受部（３１），（３２）に潤滑剤保持部が設けられた光ピックアップ装置（１０）が、光ディスク装置（１）に装備されたものも使用可能とされる（図示せず）。
【００６７】
光ピックアップ装置１０のハウジング１１に突出形成された滑り軸受部４０は、略円柱状案内部材７０の上部７１と摺接する第一ガイド片４１と、略円柱状案内部材７０の下部７２と摺接する第二ガイド片４２とを備えるものとされている。光ピックアップ装置１０の滑り軸受部４０および略円柱状の案内部材７０に潤滑剤を供給するための潤滑剤保持部５０は、略円柱状案内部材７０の上部７１と摺接する第一ガイド片４１に設けられている。
【００６８】
これにより、略円柱状案内部材７０への潤滑剤の供給は、確実に行われる。グリースなどの潤滑剤が保持可能な構造とされた潤滑剤保持部５０は、略円柱状案内部材７０の上部７１と摺接する光ピックアップ装置１０の軸受部４０の第一ガイド片４１に設けられ、グリースなどの潤滑剤は、摺動時の流動作用により確実に案内部材７０上に供給される。シャフト状案内部材７０に対し、光ピックアップ装置１０が摺動するときに、シャフト状案内部材７０の接触面７３にグリースなどの潤滑剤が引っ張られて流動作用が生じる。また、光ピックアップ装置１０は、略円柱状案内部材７０の上部７１と摺接する軸受部４０の第一ガイド片４１と、略円柱状案内部材７０の下部７２と摺接する軸受部４０の第二ガイド片４２とにより、確実に略円柱状の案内部材７０上を移動する。なお、この明細書における「上」、「下」の定義は、光ディスク装置１を説明するための便宜上のものとされる。
【００６９】
光ピックアップ装置１０に設けられた潤滑剤保持部５０は、潤滑剤が入れられて保持される略円形の貫通孔５０として、光ピックアップ装置１０のハウジング１１の滑り軸受部４０に形成されている。
【００７０】
潤滑剤は、光ピックアップ装置１０のハウジング１１の軸受部４０に形成された潤滑剤保持用の貫通孔５０に詰め込まれる。光ピックアップ装置１０が棒状の案内部材６０，７０上を移動するときに、潤滑剤は、光ピックアップ装置１０のハウジング１１の軸受部４０に形成された潤滑剤保持用の略円形状貫通孔５０から徐々に棒状案内部材７０に供給される。従って、案内部材７０に対する光ピックアップ装置１０の軸受部４０の摺動特性は、長期に亘って良好な状態に維持される。
【００７１】
光ピックアップ装置１０に設けられた潤滑剤保持用貫通孔５０は、潤滑剤が注入可能な潤滑剤注入口５５と、棒状案内部材７０に潤滑剤を徐々に付着させる潤滑剤塗着口５６とを備えるものとされている。
【００７２】
潤滑剤が注入可能な潤滑剤注入口５５を備える潤滑剤保持用貫通孔５０が光ピックアップ装置１０の軸受部４０に形成されていれば、潤滑剤保持用貫通孔５０に潤滑剤を入れるための注入作業は容易に行われる。また、光ピックアップ装置１０が棒状の案内部材６０，７０上を移動するときに、潤滑剤は、光ピックアップ装置１０のハウジング１１の軸受部４０に形成された潤滑剤保持用貫通孔５０の潤滑剤塗着口５６から徐々に案内部材７０に供給されて案内部材７０に確実に付着する。これにより、光ピックアップ装置１０の軸受部４０と、棒状案内部材７０との潤滑は、メンテナンスフリーな状態で行われる。従って、潤滑剤付与のメンテナンスフリー化が図られると共に、長期に亘って棒状案内部材７０に対する光ピックアップ装置１０の軸受部４０の摺動性能が維持可能な光ディスク装置１を、光ディスク装置１の組立メーカや、光ディスク装置１の使用者等に提供することができる。
【００７３】
案内部材７０の表面７３に潤滑剤が接した状態で、案内部材６０，７０に対し、光ピックアップ装置１０は、案内部材６０，７０の長手方向に沿って往復移動可能に組み付けられている。
【００７４】
これにより、光ディスク装置１の始動直後から、光ピックアップ装置１０の軸受部４０は、円滑に棒状の案内部材７０上を摺動することとなる。案内部材７０の表面７３に潤滑剤が接した状態で案内部材６０，７０に光ピックアップ装置１０が組み付けられているので、光ピックアップ装置１０が一対の棒状の案内部材６０，７０上を移動し始めることで、案内部材７０への潤滑剤の塗布が開始される。これにより、案内部材７０の表面７３と光ピックアップ装置１０の軸受部４１，４２とに潤滑剤の供給が開始されるので、光ディスク装置１における摺動特性は、光ディスク装置１の始動直後から長期に亘って維持される。
【００７５】
棒状の案内部材６０，７０は、略丸棒状に形成された主軸６０と、主軸６０と略平行に設置され略丸棒状に形成された副軸７０とを備えるものとされている。光ピックアップ装置１０のハウジング１１は、略丸棒形状の主軸６０に対応した略円筒形状の主軸受部３１，３２と、略丸棒形状の副軸７０に対応した略突出片形状の副軸受部４０とを備えるものとされている。略丸棒形状の主軸６０は、光ピックアップ装置１０を往復移動させる送り軸として形成されている。また、光ピックアップ装置１０の潤滑剤保持用貫通孔５０は、光ピックアップ装置１０のハウジング１１に突出形成された副軸受部４０にのみ設けられている。
【００７６】
このような構造に光ディスク装置１が構成されていれば、光ピックアップ装置１０に姿勢差が生じても耐久性が向上された光ディスク装置１の提供が可能となる。案内部材６０の主軸６０が光ピックアップ装置１０を往復移動させる送り軸として形成されていることから、光ピックアップ装置１０が往復移動するときに、主軸６０と、副軸７０とに、てこの原理が生じる。光ピックアップ装置１０が往復移動するときに、例えば、送り軸に光ピックアップ装置１０を回転させる力が加えられる。このとき、案内部材６０の主軸６０および光ピックアップ装置１０の主軸受部３１，３２がてこの支点となって、案内部材７０の副軸７０および光ピックアップ装置１０の副軸受部４０に大きな力が加えられることが考えられる。
【００７７】
しかしながら、光ピックアップ装置１０の副軸受部４０に、潤滑剤が保持可能な貫通孔
５０が設けられているので、光ピックアップ装置１０の副軸受部４０の潤滑剤保持用貫通孔５０から光ピックアップ装置１０の副軸受部４０および案内部材７０の表面７３に徐々に供給される潤滑剤により、案内部材７０の副軸７０もしくは光ピックアップ装置１０の副軸受部４０の何れか一方または両方に偏摩耗が生じるということは回避される。従って、光ピックアップ装置１０の姿勢差による摺動に対応した光ディスク装置１を、光ディスク装置１の組立メーカや、光ディスク装置１の使用者等に提供することができる。
【００７８】
略円筒状の滑り軸受部（３１），（３２）に、さらに潤滑剤保持用貫通孔が設けられた光ピックアップ装置（１０）が、光ディスク装置（１）に装備されたものも使用可能とされる（図示せず）。しかしながら、光ディスク装置１のコスト上昇を抑えるために、光ピックアップ装置１０のハウジング１１の副軸受部４０にのみ、潤滑剤保持用貫通孔５０が設けられたものが好ましい。
【００７９】
潤滑剤として、光ピックアップ装置１０の副軸受部４０に設けられた貫通孔５０の内面５３と、棒状案内部材７０の表面７３とに付着可能な半固体状潤滑剤が用いられている。
【００８０】
これにより、光ディスク装置１における潤滑剤の飛散は抑えられる。潤滑剤として半固体状潤滑剤が用いられているので、潤滑剤は、光ピックアップ装置１０の副軸受部４０に設けられた貫通孔５０の内面５３と、棒状案内部材７０の表面７３とに、長期に亘って確実に付着され続ける。従って、光ピックアップ装置１０の繰返し高速往復移動により、潤滑剤の飛散が発生して、飛散された潤滑剤が光ディスク装置１の光ピックアップ装置１０に付着し、これが原因で光ピックアップ装置１０が正常に作動されないという不具合の発生は回避される。
【００８１】
半固体状潤滑剤として、基油と、増ちょう剤と、添加剤とを含有するグリースが用いられた。
【００８２】
これにより、光ディスク装置１の光ピックアップ装置１０は、長期に亘って案内部材６０，７０上を滑らか且つ確実に往復移動する。また、グリースは、潤滑剤保持用貫通孔５０の内壁面５３と、棒状案内部材７０の表面７３とに、長期に亘って確実に付着され続ける。
【００８３】
グリースに基油が含有されることにより、棒状案内部材７０に対する光ピックアップ装置１０の軸受部４０の摺動性が向上する。棒状の案内部材６０，７０上を光ピックアップ装置１０が移動するときに、グリースの油膜が棒状案内部材７０の表面７３に形成される。油膜が棒状案内部材７０の表面７３に形成されることにより、光ピックアップ装置１０の軸受部４０または棒状案内部材７０の表面７３の何れか一方または両方に偏摩耗が生じ、光ピックアップ装置１０が精度よく棒状の案内部材６０，７０上を摺動できないという不具合の発生は回避される。
【００８４】
また、グリースに増ちょう剤が含まれることにより、グリースが甚だしく飛散されるということは回避される。例えば、飛散されたグリースが光ディスクに付着したり、飛散されたグリースが光ピックアップ装置１０の対物レンズ２０などに付着したりして、光ディスク装置１が正常に作動されないといった不具合の発生は回避される。従って、摺動動作保証と、グリース飛散問題とが一挙に解決された光ディスク装置１を、光ディスク装置１の組立メーカや、光ディスク装置１の使用者等に提供することができる。
【００８５】
また、グリースに添加剤が含まれることにより、グリースの各種特性が向上する。
【００８６】
グリースとして、例えば、石けん基グリース、コンプレックス石けん基グリース、非石
けん基グリース、鉱物油系グリース、合成油系グリースなどが挙げられる。石けん基グリースは、基油を媒体として、脂肪酸と金属水酸化物とから製造される。脂肪酸として、Ｃ１８を中心として精製ステアリン酸やひまし油の硬化脂肪酸である１２ヒドロオキシステアリン酸が用いられる。金属源として、リチウム、ナトリウムなどのアルカリ金属や、カルシウム、バリウムなどのアルカリ土類金属の水酸化物が用いられる。
【００８７】
代表的なグリースとして、例えば、リチウム石けん系グリースなどが挙げられる。リチウム石けん系グリースは、増ちょう剤としてリチウム石けんが含有されたものである。電子顕微鏡が用いられて、リチウム石けんが略１０４  の倍率で拡大視されたときに、リチウム石けんは、繊維状構造物として観察される。また、グリースの基油として、例えば、鉱物系基油、合成基油などが挙げられる。
【００８８】
グリースの種類について詳しく説明すると、グリースとして、例えば、協同油脂社製：ユニルーブ（登録商標）、マルテンプ（登録商標）、昭和シェル石油製：アルバニヤ（登録商標）などが挙げられる。例えば、リチウム石けん系グリースとして、協同油脂社製：ユニルーブＭＰ（商品名）、昭和シェル石油製：アルバニヤグリースＲＡ，アルバニヤグリースＨＶＱ（何れも商品名）などが挙げられる。
【００８９】
協同油脂社製：ユニルーブＭＰは、鉱油と、リチウム石けんと、添加剤とを備えるリチウム石けん系グリースである。添加剤として極圧剤が用いられている。極圧剤として、例えば、二硫化モリブデン、グラファイトなどが挙げられる。ユニルーブＭＰとして、例えば、ユニルーブＭＰグレードＮｏ．２が挙げられる。このグリース組成物は、「ＪＩＳ  Ｋ２２２０  ５．３」の試験法に基づく混和ちょう度が２６５〜２９５とされる。
【００９０】
また、合成油系グリースとして、協同油脂社製：マルテンプＡＣ−Ｄ（商品名）、昭和シェル石油製：アルバニヤグリースＨＶＱ（商品名）などが挙げられる。協同油脂社製：マルテンプＡＣ−Ｄは、油分の拡散性を抑制させたものである。また、昭和シェル石油製：アルバニヤグリースＨＶＱは、グリースとしての寿命を向上させた合成油系リチウム石けんグリースである。
【００９１】
昭和シェル石油製：アルバニヤグリースＲＡは、低粘度の高度精製鉱油を基油とし、リチウム石けんを増ちょう剤として、これらに酸化防止剤および防錆剤などの添加剤が混合されて構成されている。高度精製鉱油は、石油系炭化水素とされる。また、リチウム石けんとしてリチウム１２−ヒデロキシステアレートが用いられている。昭和シェル石油製：アルバニヤグリースＲＡは、低粘度の高度精製鉱油８０〜８５質量％、リチウム１２−ヒデロキシステアレート１０〜１５質量％、酸化防止剤、防錆剤などの添加剤１０質量％以下を含有する組成物からなる。この組成物は、「ＪＩＳ  Ｋ２２２０  ５．３」の試験法に基づく混和ちょう度が略２５２とされている。混和ちょう度が略２５２とされるグリース組成物は、適度な粘度をもつものとされ好ましい。
【００９２】
昭和シェル石油製：アルバニヤグリースＨＶＱは、エステル系合成油を基油とし、リチウム石けんを増ちょう剤として、これらに添加剤が混合されて構成されている。エステル系合成油は、低温特性に優れる石油系炭化水素とされる。昭和シェル石油製：アルバニヤグリースＨＶＱは、エステル系合成油８５〜９０質量％、リチウム石けん１０〜１５質量％、添加剤５質量％以下を含有する組成物からなる。この組成物は、「ＪＩＳ  Ｋ２２２０  ５．３」の試験法に基づく混和ちょう度が略２４５とされている。混和ちょう度が略２４５とされるグリース組成物は、適度な粘度をもつものとされ好ましい。
【００９３】
また、例えば、基油７５〜９５質量％、増ちょう剤５〜２５質量％、添加剤０質量％を超え１５質量％以下を含有する組成物からなるグリースが用いられることが好ましい。
【００９４】
グリースにおける基油の含有量が７５質量％よりも少ないと、潤滑性に期待できない。従って、案内部材７０に対する光ピックアップ装置１０の軸受部４０の摺動性低下が懸念される。また、グリースにおける基油の含有量が９５質量％を超える場合、増ちょう剤の配合量が不足する。基油の含有量が９５質量％を超えて配合されたグリースは、グリースの飛散が生じ難い半固体状のものとして維持され難い。そのため、基油の含有量が９５質量％を超えて配合されたグリースが光ディスク装置１に用いられた場合、光ディスク装置１にグリースの飛散が生じることが懸念される。
【００９５】
また、グリースにおける増ちょう剤の含有量が５質量％よりも少ないと、グリースが半固体状とされ難く、グリースが案内部材７０から流れ落ちることが懸念される。グリースにおける増ちょう剤の含有量が２５質量％を超える場合、グリースのちょう度／粘度が増大され、案内部材７０に対する光ピックアップ装置１０の軸受部４０の摺動特性に支障をきたすことが懸念される。
【００９６】
また、添加剤が含有されていないグリースは、グリース特性の向上を期待できない。また、グリースにおける添加剤の含有量が１５質量％を超える場合、基油または増ちょう剤の含有量が低下し、グリースの摺動特性の低下が懸念される。
【００９７】
光ディスク装置１に用いられるグリースとして、例えば、基油８０〜９０質量％、増ちょう剤１０〜１５質量％、添加剤０質量％を超え１０質量％以下を含有する組成物からなるグリースが用いられることがより好ましい。
【００９８】
グリース組成物に、基油が８０〜９０質量％含有され、増ちょう剤が１０〜１５質量％含有されることで、増ちょう剤から適度に基油が滲み出され、案内部材７０に対する光ピックアップ装置１０の軸受部４０の潤滑性が維持される。また、グリース組成物に、基油が８０〜９０質量％含有され、増ちょう剤が１０〜１５質量％含有されることで、グリースは半固体状のものとして維持される。従って、案内部材７０に対し光ピックアップ装置１０の軸受部４０が摺動されたときに、グリースが飛散されるということは回避される。また、グリース組成物に、二硫化モリブデン、グラファイト、酸化防止剤、防錆剤からなる群から選択される少なくとも一種以上の添加剤が０質量％を超え１０質量％以下含有されることで、グリースの諸特性が向上する。
【００９９】
また、「ＪＩＳ  Ｋ２２２０  ５．３」の試験法に基づく混和ちょう度が１６０〜４００のグリースを用いることが好ましい。
【０１００】
ここで、「ＪＩＳ  Ｋ２２２０  ５．３」の試験法に基づいて、グリースのちょう度が測定される過程について説明する。先ず、測定対象のグリース（図示せず）を所定の測定器（図示せず）にすりきり状態となるまで入れる。次に、規定の形状に形成された円すいを保持具と共にグリースの上に載せる（何れも図示せず）。円すいの質量は、１０２．５±０．０５ｇとされている。また、保持具の質量は、４５．５±０．０２ｇとされている。保持具を備える円すいがグリース上に載せられると、保持具付円すいは、自重によりグリースの中に侵入してゆく。保持具付円すいをグリースの上に載せてから５±０．１秒後に、円すいがグリース内にどの程度侵入したかを測定する。すなわち、円すいの侵入深さ（単位：ｍｍ）を測定する。測定された侵入深さを１０倍した値がグリースのちょう度とされる。混和ちょう度の値が小さいグリースは、硬いグリースとされ、混和ちょう度の値が大きいグリースは、軟らかいグリースとされる。
【０１０１】
例えば、混和ちょう度が１６０よりも小さい値のグリースは、硬いグリースとなる。そのため、案内部材７０に対する光ピックアップ装置１０の軸受部４０の潤滑性や摺動性の
低下が懸念される。混和ちょう度が１６０よりも小さい値の硬いグリースが用いられた場合、光ピックアップ装置１０が案内部材７０上を移動するときに、案内部材７０に対し、光ピックアップ装置１０の軸受部４０の摺動抵抗が増大する。混和ちょう度が４００よりも大きい値のグリースは、軟らかいグリースとなる。そのため、案内部材７０に対し光ピックアップ装置１０が摺動されるときに、グリースが飛散されることが懸念される。
【０１０２】
光ディスク装置１に用いられるグリースとして、例えば、「ＪＩＳ  Ｋ２２２０  ５．３」の試験法に基づく混和ちょう度が２２０〜３４０のグリースを用いることがより好ましい。混和ちょう度２２０〜３４０のグリース組成物が光ディスク装置１に用いられていれば、光ディスク装置１における潤滑特性、摺動特性が長期に亘って維持されると共に、グリースの飛散も抑制される。
【０１０３】
上記光ピックアップ装置１０を備える上記光ディスク装置１が用いられて、３００万サイクルの耐久試験が行われた。ここでの３００万サイクルの耐久試験とは、一対の円柱状案内部材６０，７０に対する光ピックアップ装置１０の往復移動が３００万回行われる試験を意味する。
【０１０４】
３００万サイクルの耐久試験が行われた結果、光ピックアップ装置１０の軸受部４０に偏摩耗が生じるということは無かった。また、棒状案内部材７０の表面７３に偏摩耗が生じるということも無かった。従って、光ピックアップ装置１０は、精度よく棒状の案内部材６０，７０上を往復移動し続けた。
【０１０５】
また、グリースの飛散も発生されなかった。従って、グリースが光ディスクに付着して、光ディスク装置１に動作不良が生じるという不具合は発生されなかった。また、グリースが光ピックアップ装置１０の対物レンズ２０に付着して、光ディスク装置１に動作不良が生じるという不具合も発生されなかった。
【０１０６】
上記光ピックアップ装置１０を備える光ディスク装置１は、例えば、ノート型ＰＣや、ラップトップ型ＰＣや、デスクトップ型ＰＣなどのコンピュータや、ＣＤプレーヤなどの音響機器や、ＤＶＤプレーヤなどの音響／映像機器などに装備可能なものとされる（何れも図示せず）。ＰＣは、パーソナルコンピュータ（Personal Computer ）の略称である。
【０１０７】
デスクトップコンピュータは、卓上型のコンピュータとされ、机の上で使用可能なコンピュータとされているが、容易に持運びができないタイプのものである。デスクトップ型のＰＣに対し、ノート型もしくはラップトップ型のＰＣは、軽量化、軽薄化が要求されることから、スリム型ドライブが装備されたディスク装置１を備える構造のものである。ノート型もしくはラップトップ型のＰＣは、デスクトップ型のＰＣと異なる構造のものである。ノート型もしくはラップトップ型のＰＣは、ディスプレイと、ＰＣ本体とが、一体構造のものとされ、ＰＣ本体に対し、ディスプレイが折りたたまれることで、薄型サイズのものとなる。ノート型のＰＣは、このものが平面視されたときに略Ａ４判もしくはこれ以下の大きさの汎用ＰＣとされ、ブック型ＰＣとも呼ばれている。ノート型もしくはラップトップ型のＰＣは、コンパクトなものとされて容易に持運びができるということが重要なこととされる。
【０１０８】
上記光ピックアップ装置１０を備える光ディスク装置１は、ノート型ＰＣもしくはラップトップ型ＰＣ等の持運びが容易なコンピュータの光ディスク装置１に装備可能とされている。具体的に説明すると、上記光ピックアップ装置１０は、ノート型パーソナルコンピュータの光ディスク装置１に装備される。従って、光ディスク装置１の耐久性が向上されると共に、光ディスク装置１に誤動作が生じ難いノート型パーソナルコンピュータを、ノート型パーソナルコンピュータの設計者や使用者等に提供することができる。
【０１０９】
本発明のディスク装置は、図示されたものに限定されるものではない。本発明のものは、その要旨を逸脱しない範囲において、種々変更可能とされる。
【図面の簡単な説明】
【０１１０】
【図１】本発明に係るディスク装置の一実施の形態を示す平面図である。
【図２】図１のＡ−Ａ断面図である。
【図３】ディスク装置を示す側面図である。
【図４】従来のディスク装置の一形態を示す平面図である。
【符号の説明】
【０１１１】
１          光ディスク装置（ディスク装置）
１０        光ピックアップ装置（ピックアップ装置）
１１        ハウジング
２０        対物レンズ（光学系部品）
２１        レンズホルダ
３１，３２  主軸受部（軸受部）
４０        副軸受部（軸受部）
４１        第一ガイド片（軸受部）
４２        第二ガイド片（軸受部）
５０        孔（潤滑剤保持部）
５３        内壁面（内面）
５５        潤滑剤注入口（潤滑剤注入部）
５６        潤滑剤塗着口（潤滑剤塗着部）
６０        主軸（案内部材）
７０        副軸（案内部材）
７１        上部
７２        下部
７３        接触面（表面）
【図１】
2007004927.tif 000003
【図２】
2007004927.tif 000004
【図３】
2007004927.tif 000005
【図４】
2007004927.tif 000006